(57)【要約】【課題】キーが連続して早押しされた場合でも、操作者の意図した動作が確実に実行される映像再生装置を提供する。【解決手段】映像機器の現在のステータスを記録する現在ステータス記録エリア７に加えて、リモコンから受信した信号に応じて次に遷移する予定の映像機器のステータスを記録する遷移予定ステータスエリア８を設ける。リモコンの早送りキーが操作されたときに、遷移予定ステータスエリア８を参照して、前回のキー操作に基づく遷移予定ステータスが「停止」であれば、制御コマンドとして「早送りコマンド」を映像機器へ送る。一方、遷移予定ステータスが「再生」であれば、制御コマンドとして「再生早送りコマンド」を映像機器へ送る。【選択図】    図２
2004159080.tif 000002
【特許請求の範囲】
【請求項１】
リモコンのキー操作によりディスクの録画再生を行なうとともに、デジタルビデオカメラのような映像機器とＩＥＥＥ１３９４ケーブルで接続され、前記リモコンからの信号を受信し、受信した信号に基づいて前記映像機器に前記ケーブルを介して制御コマンドを送り、この制御コマンドに基づき前記映像機器の動作を制御し、映像機器の再生映像をテレビモニタに表示するようにした映像再生装置において、
前記映像機器から取得した現在の映像機器のステータスを記録する現在ステータス記録手段と、
前記リモコンから受信した信号に応じて次に遷移する予定の映像機器のステータスを記録する遷移予定ステータス記録手段と、
前記映像機器に送る制御コマンドが設定される制御コマンド設定手段と、
前記リモコンのキーが操作されたときに、前記遷移予定ステータス記録手段に記録されている前回のキー操作に基づく遷移予定ステータスを判別する判別手段と、を備え、
前記リモコンの早送りキーが操作されたときに、前記判別手段によりそのときの遷移予定ステータスが「停止」か「再生」かを判別し、遷移予定ステータスが「停止」の場合は制御コマンドとして「早送りコマンド」を制御コマンド設定手段に設定し、遷移予定ステータスが「再生」の場合は制御コマンドとして「再生早送りコマンド」を制御コマンド設定手段に設定し、
前記設定された制御コマンドを映像機器に送った後、当該制御コマンドに対応して、「早送り」または「再生早送り」を次に遷移する予定のステータスとして前記遷移予定ステータス記録手段に記録し、
その後映像機器から現在のステータスを取得して、当該ステータスを前記現在ステータス記録手段に記録することを特徴とする映像再生装置。
【請求項２】
映像機器とインターフェイスを介して接続され、操作部の操作に基づいて前記映像機器に制御コマンドを送り、この制御コマンドに基づいて前記映像機器の動作を制御し、映像機器の再生映像をモニタに表示するようにした映像再生装置において、
前記映像機器から取得した現在の映像機器のステータスを記録する現在ステータス記録手段と、
前記操作部からの信号に応じて次に遷移する予定の映像機器のステータスを記録する遷移予定ステータス記録手段と、を備え、
前記操作部のキーが操作されたときに、前記遷移予定ステータス記録手段に記録されている前回のキー操作に基づく遷移予定ステータスを判別して、判別した遷移予定ステータスに基づいて定まる制御コマンドを映像機器へ送り、
前記制御コマンドを映像機器に送った後、当該制御コマンドに対応するステータスを、次に遷移する予定のステータスとして前記遷移予定ステータス記録手段に記録し、
その後映像機器から現在のステータスを取得して、当該ステータスを前記現在ステータス記録手段に記録することを特徴とする映像再生装置。
【請求項３】
請求項２に記載の映像再生装置において、
操作部のキーが操作されたときに、映像機器のステータスが現在ステータスから遷移予定ステータスへ遷移中であることを前記モニタに表示することを特徴とする映像再生装置。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｋ）レコーダのような映像再生装置に関するものである。
【０００２】
【従来の技術】
ＤＶＤレコーダは、ＤＶＤ−ＲＷのような書き換え可能な光ディスクに対して録画や再生を行なう装置であるが、外部入力端子にデジタルビデオカメラのような映像機器を接続して、リモコンにより映像機器の動作を制御し、映像機器の再生映像をテレビモニタに表示することもできる。この場合、ＤＶＤレコーダとデジタルビデオカメラとは、高速のシリアル・インターフェイスであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４ケーブルで接続され、このケーブルを介してＤＶＤレコーダからデジタルビデオカメラに再生、停止、早送りなどの制御コマンドを送るようになっている。
【０００３】
ところで、一般に映像再生装置の動作は、リモコン等の操作部からの指令によって、あるステータス（たとえば再生）から他のステータス（たとえば停止）へ遷移するようになっている。映像再生装置におけるステータス（動作モード）の遷移に関しては、下記の特許文献１、２に記載されている。特許文献１の装置では、動作モードの遷移中にモードの切換えが行なわれた場合に、要求された動作モードを表示部に表示することにより、操作者にモード遷移を知らしめるようにしている。また、特許文献２の装置では、動作モードを予め設定した順序で自動的に遷移させてゆくようにしている。
【０００４】
【特許文献１】
特開２００２−５００９５号公報
【特許文献２】
特開平１−２４８３４３号公報
【０００５】
【発明が解決しようとする課題】
しかしながら、従来の映像再生装置においては、操作部のキーが連続して早押しされた場合に、操作者の意図した動作に遷移することができなくなるという問題がある。以下、これについて説明する。ここでは、映像再生装置がＤＶＤレコーダであり、これにＩＥＥＥ１３９４ケーブルで接続されたデジタルビデオカメラを、リモコンの操作によりＤＶＤレコーダを介して制御する場合を例にとる。
【０００６】
この場合において、ＤＶＤレコーダは、リモコンからの指令信号と、デジタルビデオカメラから取得した現在のステータス情報とに基づいて、デジタルビデオカメラへ制御コマンドを送るようになっている。また、デジタルビデオカメラの送りを早くするモードとしては、モニタの画面に再生映像が表示されない状態で高速で送る「早送り」と、モニタの画面に再生映像が表示された状態で低速で送る「再生早送り」とがある。「再生」から「早送り」に切り換えるには、リモコンの停止キーを押した後に早送りキーを押し、「停止」から「再生早送り」をさせるには、リモコンの再生キーを押した後に早送りキーを押すという操作を行なう。
【０００７】
いま、「停止」の状態にあるデジタルビデオカメラを「再生早送り」させる場合、上述したように再生キーを押して一旦再生状態にした後に早送りキーを押すという２段階の操作を行なう。ところが、デジタルビデオカメラにおいては、再生指令を受けてから実際に再生動作が開始されるまでに、記録ヘッドの移動などに基因する時間遅れがあり、停止から再生へのステータス遷移に時間がかかる。このため、再生への遷移が完了するまでは、デジタルビデオカメラのステータスは「停止」であり、ＤＶＤレコーダはデジタルビデオカメラからこのステータス情報を取得して、デジタルビデオカメラが停止状態にあると認識する。この結果、再生キーが押された後、再生への遷移が完了するまでの間に早送りキーが押されると、ＤＶＤレコーダはリモコンから早送りの指令を受信した時点で、デジタルビデオカメラのステータスが「停止」であるため、停止状態で早送り指令がされたと判断して、「再生早送り」ではなく「早送り」の制御コマンドを生成してデジタルビデオカメラへ送る。このため、デジタルビデオカメラはこの制御コマンドに従って、操作者が「再生早送り」を指令したにもかかわらず「早送り」を行なうことになる。
【０００８】
一方、「再生」の状態にあるデジタルビデオカメラを「早送り」させる場合は、上述したように停止キーを押して一旦停止状態にした後に早送りキーを押すという２段階の操作を行なう。ところが、デジタルビデオカメラにおいては、停止指令を受けてから実際に停止が完了するまでに、記録ヘッドの移動などに基因する時間遅れがあり、再生から停止へのステータス遷移に時間がかかる。このため、停止への遷移が完了するまでは、デジタルビデオカメラのステータスは「再生」であり、ＤＶＤレコーダはデジタルビデオカメラからこのステータス情報を取得して、デジタルビデオカメラが再生状態にあると認識する。この結果、停止キーが押された後、停止への遷移が完了するまでの間に早送りキーが押されると、ＤＶＤレコーダはリモコンから早送りの指令を受信した時点で、デジタルビデオカメラのステータスが「再生」であるため、再生状態で早送り指令がされたと判断して、「早送り」ではなく「再生早送り」の制御コマンドを生成してデジタルビデオカメラへ送る。このため、デジタルビデオカメラはこの制御コマンドに従って、操作者が「早送り」を指令したにもかかわらず「再生早送り」を行なうことになる。
【０００９】
このように、従来の装置では、操作部のキーが連続して早押しされた場合に対応することができず、操作者の意図した動作が実行されないという問題点があった。本発明はこれを解決するものであって、その課題とするところは、キーが連続して早押しされた場合でも、操作者の意図した動作が確実に実行される映像再生装置を提供することにある。
【００１０】
【課題を解決するための手段】
本発明に係る映像再生装置では、映像機器とインターフェイスを介して接続され、操作部の操作に基づいて映像機器に制御コマンドを送り、この制御コマンドに基づいて映像機器の動作を制御し、映像機器の再生映像をモニタに表示するようにした映像再生装置において、映像機器から取得した現在の映像機器のステータスを記録する現在ステータス記録手段と、操作部からの信号に応じて次に遷移する予定の映像機器のステータスを記録する遷移予定ステータス記録手段とを設ける。操作部のキーが操作されると、遷移予定ステータス記録手段に記録されている前回のキー操作に基づく遷移予定ステータスを判別して、判別した遷移予定ステータスに基づいて定まる制御コマンドを映像機器へ送る。そして、制御コマンドを映像機器に送った後、当該制御コマンドに対応するステータスを、次に遷移する予定のステータスとして遷移予定ステータス記録手段に記録し、その後映像機器から現在のステータスを取得して、当該ステータスを現在ステータス記録手段に記録する。
【００１１】
たとえば、早送りキーが操作されたときに、そのときの遷移予定ステータスが「停止」か「再生」かを早送りキーの１つ前に操作されたキーに基づいて判別し、遷移予定ステータスが「停止」の場合は、制御コマンドとして「早送りコマンド」を設定し、これを映像機器へ送る。また、遷移予定ステータスが「再生」の場合は、制御コマンドとして「再生早送りコマンド」を設定し、これを映像機器へ送る。そして、これらの制御コマンドを映像機器に送った後、当該制御コマンドに対応して、「早送り」または「再生早送り」を次に遷移する予定のステータスとして遷移予定ステータス記録手段に記録する。
【００１２】
このように、次に遷移する予定のステータスを記録する遷移予定ステータス記録手段を設け、キーが操作されたときに遷移予定ステータスを判別して、そのステータスから定まる制御コマンドを映像機器へ送ることで、ステータスの遷移期間中にキーが押されても、操作者の意図に合致した制御コマンドが生成されるため、キーが連続して早押しされても、映像機器では操作者の意図した動作が確実に実行される。
【００１３】
本発明においては、操作部のキーが操作されたときに、映像機器のステータスが現在ステータスから遷移予定ステータスへ遷移中であることをモニタに表示するようにしてもよい。こうすることで、操作者は遷移の状態を容易に知ることができ、遷移が完了するまでの待ち時間によるストレスを軽減することができる。
【００１４】
【発明の実施の形態】
図１は、本発明に係る映像再生装置を用いたシステムの一例を示している。図において、１０はＤＶＤ−ＲＷ等のディスクに対して録画再生を行なうＤＶＤレコーダ、２０はＤＶＤレコーダ１０で再生された映像を表示するテレビモニタ、３０は撮影した映像をテープにデジタル方式で記録するデジタルビデオカメラ、４０はＤＶＤレコーダ１０やデジタルビデオカメラ３０の動作を制御するリモコンである。ＤＶＤレコーダ１０は本発明における映像再生装置を構成し、デジタルビデオカメラ３０は本発明における映像機器を構成し、リモコン４０は本発明における操作部を構成する。
【００１５】
ＤＶＤレコーダ１０とデジタルビデオカメラ３０とは、高速のシリアル・インターフェイスであるＩＥＥＥ１３９４ケーブル（以下、単にケーブルと記す）５０で接続されている。リモコン４０によりデジタルビデオカメラ３０の動作を制御する場合、リモコン４０からの指令をＤＶＤレコーダ１０が受信し、ＤＶＤレコーダ１０からケーブル５０を介してデジタルビデオカメラ３０へ再生、停止、早送りなどの制御コマンドが送られる。デジタルビデオカメラ３０の再生映像はケーブル５０を介してＤＶＤレコーダ１０へ送られ、テレビモニタ２０に表示される。
【００１６】
図２は、ＤＶＤレコーダ１０の電気的構成を示したブロック図である。１はリモコン４０からの信号を受信するリモコン受信部であって、ＤＶＤレコーダの筐体の前面に設けられる。２はＤＶＤレコーダの筐体に備えられた操作部であって、各種のキーやスイッチなどから構成される。なお、この操作部２も本発明における操作部を構成する。３は入出力インターフェイスであって、テレビモニタ２０やデジタルビデオカメラ３０と接続するためのコネクタを備えている。４はＤＶＤレコーダ１０の動作状態などを表示する表示部、５はディスクに記録された情報を再生するディスク再生部、６はディスクに情報を記録するディスク記録部である。
【００１７】
１１はＣＰＵやメモリから構成される制御部であって、本発明における判別手段を構成する。この制御部１１のメモリには、現在ステータス（Ｃｕｒｒｅｎｔ  Ｓｔａｔｕｓ）記録エリア７、遷移予定ステータス（Ｎｅｘｔ  Ｓｔａｔｕｓ）記録エリア８、制御コマンド設定エリア９が設けられている。現在ステータス記録エリア７は、デジタルビデオカメラ３０から取得した現在のカメラ３０のステータスを記録するエリアであって、本発明における現在ステータス記録手段を構成する。遷移予定ステータス記録エリア８は、リモコン４０から受信した信号に応じて次に遷移する予定のデジタルビデオカメラ３０のステータスを記録するエリアであって、本発明における遷移予定ステータス記録手段を構成する。制御コマンド設定エリア９は、デジタルビデオカメラ３０に送る制御コマンド（ＡＶ／Ｃコマンド）が設定されるエリアであって、本発明における制御コマンド設定手段を構成する。
【００１８】
次に、図１のシステムにおいて、リモコン４０を操作してＤＶＤレコーダ１０を介してデジタルビデオカメラ３０を制御する場合の動作について説明する。図３は、リモコン４０の早送りキー（ＦＦキー）が操作された場合のＤＶＤレコーダ１０の動作を示したフローチャートであって、制御部１１を構成するＣＰＵにより実行される手順を表している。
【００１９】
早送りキーが押されて、リモコン受信部１がリモコン４０から早送りの指令信号を受信すると、制御部１１では、遷移予定ステータス記録エリア８に記録されているステータスを読み出す（ステップＳ１）。このとき、エリア８に記録されているステータスは、早送りキーが押される１つ前に押されたキーに対応するステータスである。次に、読み出した遷移予定ステータスが何であるかを判別する（ステップＳ２）。遷移予定ステータスが「停止」であれば、１つ前に押されたキーは停止キーであり、停止キーに続いて早送りキーが押されたことになるから、制御部１１は、制御コマンドとして「早送りコマンド」（ＦＦ）を制御コマンド設定エリア９にセットする（ステップＳ３）。一方、遷移予定ステータスが「再生」であれば、１つ前に押されたキーは再生キーであり、再生キーに続いて早送りキーが押されたことになるから、制御部１１は、制御コマンドとして「再生早送りコマンド」（Ｐ−ＦＦ）を制御コマンド設定エリア９にセットする（ステップＳ４）。
【００２０】
このようにして、遷移予定ステータスに基づいて定まる制御コマンドをセットした後、その制御コマンドをケーブル５０を介してデジタルビデオカメラ３０へ送信する（ステップＳ５）。デジタルビデオカメラ３０では、この制御コマンドを受信すると、当該コマンドに対応するステータスへの遷移を開始する。すなわち、受信した制御コマンドが、「早送りコマンド」であれば早送り動作へ遷移を開始し、受信した制御コマンドが、「再生早送りコマンド」であれば再生早送り動作への遷移を開始する。
【００２１】
制御コマンドをデジタルビデオカメラ３０へ送信した後、制御部１１は、遷移予定ステータス記録エリア８のステータスを更新する（ステップＳ６）。すなわち、送信した制御コマンドが「早送りコマンド」であれば、遷移予定ステータス記録エリア８のステータスを「早送り」に書き換え、送信した制御コマンドが「再生早送りコマンド」であれば、遷移予定ステータス記録エリア８のステータスを「再生早送り」に書き換える。
【００２２】
その後、デジタルビデオカメラ３０において、ステータスの遷移が完了すると、デジタルビデオカメラ３０からケーブル５０を介してＤＶＤレコーダ１０へ遷移後のステータスに関する情報が送信され、ＤＶＤレコーダ１０がデジタルビデオカメラ３０の現在ステータスとしてこの情報を取得する（ステップＳ７）。そして、現在ステータス記録エリア７に記録されているステータスを、ステップＳ７で取得した現在ステータスに書き換えて更新する（ステップＳ８）。
【００２３】
図４は、デジタルビデオカメラ３０が再生状態にある場合に、「早送り」をさせるため、停止キーに続いて早送りキーを押したときのステータスの遷移を説明する図である。最初に、再生状態から停止キーが押されると、（ａ）のように現在ステータスは「再生」であり、遷移予定ステータスは「停止」となる。続いて早送りキーが押されると、その時点ではデジタルビデオカメラ３０はまだ停止状態への遷移を完了していないため、（ｂ）のように現在ステータスは「再生」のままであり、遷移予定ステータスは「早送り」となる。従来であれば、早送りキーが押されたときに、現在ステータス（ここでは「再生」）をみて制御コマンドを生成していたため、生成される制御コマンドは「再生早送り」となるが、本発明では、早送りキーが押されたときに、遷移予定ステータス（ここでは「停止」）をみて制御コマンドを生成するので、生成される制御コマンドは、「早送り」となる。この結果、デジタルビデオカメラ３０では操作者が意図したとおりの「早送り」の動作が行われる。
【００２４】
図５は、デジタルビデオカメラ３０が停止状態にある場合に、「再生早送り」をさせるため、再生キーに続いて早送りキーを押したときのステータスの遷移を説明する図である。最初に、停止状態から再生キーが押されると、（ａ）のように現在ステータスは「停止」であり、遷移予定ステータスは「再生」となる。続いて早送りキーが押されると、その時点ではデジタルビデオカメラ３０はまだ再生状態への遷移を完了していないため、（ｂ）のように現在ステータスは「停止」のままであり、遷移予定ステータスは「早送り」となる。従来であれば、早送りキーが押されたときに、現在ステータス（ここでは「停止」）をみて制御コマンドを生成していたため、生成される制御コマンドは「早送り」となるが、本発明では、早送りキーが押されたときに、遷移予定ステータス（ここでは「再生」）をみて制御コマンドを生成するので、生成される制御コマンドは、「再生早送り」となる。この結果、デジタルビデオカメラ３０では操作者が意図したとおりの「再生早送り」の動作が行われる。
【００２５】
図６は、テレビモニタ２０の画面２１の表示例である。ここでは、デジタルビデオカメラ３０の映像をＤＶＤ−ＲＷにシンクロ録画するときの画面が示されている。この画面２１において、２２はデジタルビデオカメラ３０のステータスの遷移を表示する遷移表示部であって、カメラ３０が現在ステータスの「停止」（四角マーク）から遷移予定ステータスの「再生」（三角マーク）へ遷移中であることを表示している。このような遷移表示部２２を設けることにより、操作者はデジタルビデオカメラ３０におけるステータスの遷移状態を容易に知ることができ、遷移が完了するまで待つことによるストレスを軽減することができる。なお、２３はＤＶＤ−ＲＷの動作状態を表す表示部、２４はシンクロ録画を開始する場合に操作する録画開始ボタン、２５は録画を一時的に停止させる場合に操作する一時停止ボタン、２６は録画を終了する場合に操作する録画終了ボタンである。
【００２６】
以上述べた実施形態においては、停止キーに続いて早送りキーを押す場合と、再生キーに続いて早送りキーを押す場合とを例に挙げたが、本発明は、停止キーに続いて早戻しキーを押す場合や、再生キーに続いて早戻しキーを押す場合、あるいは一時停止キーに続いて早送りキーや早戻しキーを押す場合などにも適用することができる。
【００２７】
また、上記実施形態では、映像機器としてデジタルビデオカメラ３０を例に挙げたが、これ以外にデジタルカメラやデジタルチューナなどを映像機器として用いる場合にも本発明は適用が可能である。
【００２８】
また、上記実施形態では、ＤＶＤレコーダ１０で録画再生される書き換え可能なディスクとしてＤＶＤ−ＲＷを例に挙げたが、ディスクとしてはこれに限らず、たとえばＤＶＤ−ＲＡＭや、青色レーザで記録再生を行うブルーレイ・ディスクなどであってもよい。さらに、本発明に係る映像再生装置は、ＤＶＤレコーダ以外にパーソナルコンピュータのような機器であってもよい。
【００２９】
また、上記実施形態では、リモコン４０の操作によりデジタルビデオカメラ３０の動作を制御する場合を例に挙げたが、リモコン４０に代えてＤＶＤレコーダ１０に備わる操作部２、あるいはデジタルビデオカメラ３０に備わる操作部（図示省略）を操作する場合にも、本発明を適用することができる。
【００３０】
【発明の効果】
本発明によれば、映像機器へ送る制御コマンドを遷移予定ステータスに基づいて生成するようにしたので、ステータスの遷移期間中にキーが早押しされても正確な制御コマンドが生成され、操作者の意図した動作を確実に実行させることができる。
【図面の簡単な説明】
【図１】本発明に係る映像再生装置を用いたシステムの一例を示す図である。
【図２】本発明に係る映像再生装置の電気的構成を示したブロック図である。
【図３】本発明に係る映像再生装置の動作を示したフローチャートである。
【図４】デジタルビデオカメラのステータスの遷移を説明する図である。
【図５】デジタルビデオカメラのステータスの遷移を説明する図である。
【図６】テレビモニタの画面の表示例である。
【符号の説明】
２    操作部
７    現在ステータス記録エリア
８    遷移予定ステータス記録エリア
９    制御コマンド設定エリア
１０  ＤＶＤレコーダ
１１  制御部
２０  テレビモニタ
２２  遷移表示部
３０  デジタルビデオカメラ
４０  リモコン
５０  ＩＥＥＥ１３９４ケーブル
【図１】
2004159080.tif 000003
【図２】
2004159080.tif 000004
【図３】
2004159080.tif 000005
【図４】
2004159080.tif 000006
【図５】
2004159080.tif 000007
【図６】
2004159080.tif 000008